(57)【要約】【課題】音量及び音質の向上を図りながらも、耳から容易に脱落することを抑止できる耳挿入型のイヤホンを提供する。【解決手段】  耳挿入型のイヤホン１は筐体４と当該筐体４に取り付けられかつ振動部１０と当該振動部１０を振動させる磁気回路部９とを有したスピーカユニット３とを備えている。振動部１０が振動板２２と該振動板２２に固定されかつ音声電流が供給されることで前記磁気回路部９と協働してこの振動板２２を振動させるボイスコイル２０とを備えている。ボイスコイル２０が長尺の平板状に形成されてその長手方向が振動板２２の振動した際に生じる音の放射方向Ｈと平行に配置されている。【選択図】図１
2009049757.tif 000002
【特許請求の範囲】
【請求項１】
筐体と、当該筐体に取り付けられる振動部と磁気回路部とを有したスピーカユニットと、を備え、前記振動部が、振動板と、ボイスコイルとを備え、
前記ボイスコイルが、長尺の平板状に形成されて、その長手方向が前記振動板の振動した際に生じる音の放射方向と略平行に配置されることを特徴とする耳挿入型のイヤホン。
【請求項２】
前記振動板は、
長尺の平板状に形成された薄板状の振動板本体と、
前記ボイスコイルを収容するボイスコイル収容部と、を備えたことを特徴とする請求項１記載の耳挿入型のイヤホン。
【請求項３】
前記筐体は、長尺の平板状に形成されており、前記スピーカユニットを覆って当該スピーカユニットに取り付けられていることを特徴とする請求項１又は請求項２記載の耳挿入型のイヤホン。
【請求項４】
前記筐体の先端面に、音放射用の開口部が設けられていることを特徴とする請求項１乃至請求項３のうちいずれか一項に記載の耳挿入型のイヤホン。
【請求項５】
前記筐体と前記スピーカユニットとを収容するイヤホン本体を備えることを特徴とする請求項１乃至請求項４のうちいずれか一項に記載の耳挿入型のイヤホン。
【請求項６】
前記磁気回路部は、互いに異極が相対するように配置される一対の磁石と、間隔保持部と、を備えることを特徴とする請求項１乃至請求項５のうちいずれか一項に記載の耳挿入型のイヤホン。
【請求項７】
前記間隔保持部が、非磁性材料で構成されていることを特徴とする請求項６記載の耳挿入型のイヤホン。
【請求項８】
前記磁気回路部は、プレートと、磁石と、前記プレートと前記磁石が取り付けられるフレームと、を備えたことを特徴とする請求項１乃至請求項７のうちいずれか一項に記載の耳挿入型のイヤホン。
【請求項９】
前記磁気回路部は、前記プレートを一対備え、
前記一対のプレート間に磁性流体を充填したことを特徴とする請求項８記載の耳挿入型のイヤホン。
【請求項１０】
前記フレームは、前記間隔保持部を有することを特徴とする請求項６乃至請求項９のうちいずれか一項に記載の耳挿入型のイヤホン。
【請求項１１】
前記振動部が、前記ボイスコイルと電気的に接続されるリード線を備え、
前記リード線が、前記ボイスコイルの長手方向に対し略垂直な方向に延びていることを特徴とする請求項１乃至請求項１０のうちいずれか一項に記載の耳挿入型のイヤホン。
【請求項１２】
前記フレームは、切り欠け部を有することを特徴とする請求項８に記載の耳挿入型のイヤホン。
【請求項１３】
前記筐体と前記スピーカユニットとを収容するイヤホン本体を備え、前記イヤホン本体は、収容部と、球状部とを備えることを特徴とする請求項１乃至請求項３のうちいずれか一項に記載の耳挿入型のイヤホン。
【発明の詳細な説明】
【技術分野】
【０００１】
本発明は、例えば、人の耳の外耳道内に挿入される耳挿入型のイヤホンに関する。
【背景技術】
【０００２】
人の耳に取り付けられる耳挿入型のイヤホンとして、従来から種々のイヤホン（例えば、特許文献１参照）が用いられてきた。この種の特許文献１に示されたイヤホンは、音を生じさせるスピーカユニットと、該スピーカユニットを収容するとともに耳介（耳殻ともいう）に装着される伝達器本体としてのイヤホン本体などを備えている。
【０００３】
スピーカユニットは、音声電流が印加されると振動して音を生じる振動板などを有した振動部と、当該振動部の振動部を振動させるための磁気回路部とを備えて、うす手の円盤状に形成されている。
【０００４】
イヤホン本体は、耳介に装着可能でかつスピーカユニットを収容する筒状部を備えている。筒状部は、スピーカユニットの振動板などが露出する格好で、当該スピーカ本体を収容する。
【０００５】
前述した構成のイヤホンは、イヤホン本体の筒状部が人などの耳介に装着されて、前記スピーカユニットのボイスコイルに音声電流が印加されて、振動部の振動板が振動して、音を生じて、この音（音情報ともいう）を前述した人などに伝達する。
【０００６】
また、この種の特許文献１に示されたイヤホンは、スピーカユニットがうす手の円盤状に形成されているので、外耳道内に挿入することが困難な大きさとなり、耳から容易に脱落してしまう。また、スピーカユニット前面側（振動板上方）を開放する必要があり、密閉性に乏しい構造をイヤホンは備えている。そのため、例えば、低音再生帯域を拡大することが難しい。
【０００７】
この種の問題を解決するため即ち小型化を図って外耳道内に挿入するために、所謂バランスド・アーマチュア型のスピーカユニットを備えたイヤホン（例えば、特許文献２参照）が提案されている。
【特許文献１】特開平１１−２２５３８７号公報
【特許文献２】特開２００７−７４４９９号公報
【発明の開示】
【発明が解決しようとする課題】
【０００８】
前述した特許文献１に示されたイヤホンは、外耳道内に挿入可能となるまで、スピーカユニットを小型化することが困難で、耳から容易に脱落してしまう。
【０００９】
また、特許文献２に示されたイヤホンは、外耳道内に挿入可能となるまで、小型化することが可能であるが、バランスド・アーマチュア型のスピーカユニットがレバーを介して振動板を振動させるため、能率の向上と低音再生帯域の拡大とが相対する特性を有している。このため、特許文献２に示されたイヤホンは、音量及び音質の向上を図ることが困難であった。
【００１０】
本発明は、このような問題点に対処することを課題の一例とするものである。本発明の目的は、例えば、音量及び音質の向上を図りながらも、耳から容易に脱落することを抑止できる耳挿入型のイヤホンを提供することにある。
【課題を解決するための手段】
【００１１】
前記課題を解決し目的を達成するために、請求項１に記載の本発明の耳挿入型のイヤホンは、筐体と、当該筐体に取り付けられる振動部と磁気回路部とを有したスピーカユニットと、を備え、前記振動部が、振動板と、ボイスコイルとを備え、前記ボイスコイルが、長尺の平板状に形成されて、その長手方向が前記振動板の振動した際に生じる音の放射方向と略平行に配置されることを特徴としている。
【発明を実施するための最良の形態】
【００１２】
以下、本発明の一実施形態を説明する。本発明の一実施形態にかかる耳挿入型のイヤホンは、振動板にボイスコイルを直接固定することで、スピーカユニットを所謂ダイナミック型のものとして音量・音質の向上を図り、さらに、このボイスコイルを長尺の平板状に形成しその長手方向を振動板の振動した際に生じる音の放射方向と平行に配置することで、スピーカユニットを外耳道に挿入可能な大きさまで小型化を図ることを可能としている。
【００１３】
また、本実施形態の耳挿入型のイヤホンは、振動部の薄板状で長尺の平板状に形成された振動板本体の中央部にボイスコイル収容部を設けているので、ボイスコイルと振動板とを固定でき、音量・音質の向上を図ることができる。
【００１４】
さらに、筐体の先端面に音放射用の開口部を設けても良い。この場合には、スピーカユニットが発生した音を外耳道内に容易に導くことができる。
【００１５】
また、筐体とスピーカユニットとを収容するイヤホン本体を備えているので、スピーカユニットなどが破損したり、異物が付着して汚れることを抑止できる。
【００１６】
さらに、イヤホン本体が筒状に形成されているので、スピーカユニットの発生した音が外耳道内に導かれることを妨げることなく、スピーカユニットなどを収容できる。
【００１７】
磁気回路部の互いに異極同士が相対して配置される磁石の間隔を保持する間隔保持部を備えても良い。この場合、ボイスコイル及び振動部即ちイヤホンの長手方向に沿って、磁石間の間隔が一定に保たれるので、これらの磁石によって形成される磁気ギャップがボイスコイル及び振動部即ちイヤホンの長手方向に不均一になること（ばらつくこと）を抑止できる。
【００１８】
間隔保持部が、非磁性材料で構成されても良い。この場合、間隔保持部が励磁されて、磁石によって形成される磁気ギャップがボイスコイル及び振動部即ちイヤホンの長手方向に不均一になること（ばらつくこと）を抑止できる。
【００１９】
磁気回路部が、プレートと、フレームとを備えても良い。この場合、磁石、プレートがフレームに取り付けられるので、磁石によって形成される磁気ギャップがボイスコイル及び振動部即ちイヤホンの長手方向に不均一になること（ばらつくこと）を抑止できる。
【００２０】
磁気回路部が、一対のプレート間に磁性流体を充填しても良い。この場合、振動板の振動が当該振動板の長手方向に不均一になることを抑止でき、即ち、振動板がローリングすること、振動板又はボイスコイルがプレート等に接触することなどを抑止でき、異音が発生することを抑止できる。また、ダンパーを設ける必要がなくなり、イヤホンを小型化することが可能となる。
【００２１】
フレームに間隔保持部を設けても良い。この場合、部品点数の増加を抑えることができ、コストの高騰を抑制できる。
【００２２】
ボイスコイルに接続したリード線が、振動板の長手方向の中央部から当該振動板の幅方向に沿って、外側に導かれているので、振動板の振動（逆共振等）によって、リード線にテンション（リード線を引っ張る力）が加わることを抑止でき、リード線が破損することを抑止できる。
【実施例】
【００２３】
本発明の一実施例を、図１ないし図６に基づいて説明する。図１に示す耳挿入型のイヤホン１（以下、単にイヤホンと記す）は、人などの耳の外耳道Ｏ（図１に示す）内に挿入されて、音を生じて、この音（音情報ともいう）を前述した人などに伝達する。
【００２４】
イヤホン１は、図１に示すように、イヤホン本体２と、音を生じるスピーカユニット３と、筐体４とを備えている。
【００２５】
イヤホン本体２は、図１に示すように、収容部５と、球状部６とを備えている。収容部５と、球状部６とは、ともに、樹脂などで構成されている。収容部５は、底部７と該底部７の外縁から立設した筒部８とを一体に備え、かつ、人などの耳の外耳道Ｏに挿入可能な大きさの筒状に形成されている。
【００２６】
球状部６は、外形が略球状の円筒状に形成され、かつ、人などの耳の外耳道Ｏに挿入可能な大きさ、又は外耳道Ｏへイヤホン１を挿入する際の止め具となるように形成されている。球状部６は、収容部５の底部７から離れた側の一端部の外周に取り付けられている。また、球状部６は、両端が開口した筒状に形成されて、筐体４に設けられた後述する開口部２９を覆うことなく、当該開口部２９を露出させている。
【００２７】
イヤホン本体２は、筒状の収容部５と、該収容部５の外周に取り付けられた筒状の球状部６とを備えて、全体として筒状に形成されている。イヤホン本体２は、収容部５と球状部６の内側に筐体４とスピーカユニット３とを収容する。
【００２８】
スピーカユニット３は、図２ないし図５に示すように、磁気回路部９と、振動部１０と、を備えている。
【００２９】
磁気回路部９は、非磁性材料で構成されたフレーム１１と、磁性体（所謂、常磁性体又は強磁性体）等で構成されたヨーク１２と、一対の磁石１３と、磁性体（所謂、常磁性体又は強磁性体）等で構成された一対のプレート１４とを備えている。
【００３０】
フレーム１１は、図３に示すように、一対の直線部１５と、一対の連結部１６と、間隔保持部１７とを一体に備えて枠状に形成されている。即ち、フレーム１１は、非磁性材料で構成された間隔保持部１７を設けている。直線部１５は、それぞれ、直線状に延在した帯板状に形成されている。一対の直線部１５は、互いに間隔をあけて平行に配置されている。直線部１５は、その断面形状が矩形状に形成され、その断面の長手方向が互いに略同一線上に位置するように配置されている。
【００３１】
連結部１６は、一対の直線部１５の端同士を連結している。間隔保持部１７は、一対の連結部１６の端面から直線部１５の長手方向に沿って直線状に突出して延在している。間隔保持部１７は、一対の直線部１５間に配置されている。間隔保持部１７は、一対の磁石１３間に配置されて、これらの磁石１３が互いに近づいて、互いに接することを規制して、これら一対の磁石１３間の間隔を保持する。
【００３２】
また、フレーム１１は、図５に示すように、直線部１５と連結部１６の一方の表面が、連続して、平坦に形成されている。さらに、フレーム１１には、前述した一方の表面の外縁から立設した枠部１８が、前記直線部１５と連結部１６とに亘って即ち全周に亘って、形成されている。
【００３３】
また、直線部１５の下方には、切り欠け部３１が形成されている。この切り欠け部３１が形成されていることにより、一対の磁石１３間の磁力によりフレーム１１が変形して直線部１５間の間隔、特に長手方向において、不均一（ばらつく）になることが抑止されている。
【００３４】
ヨーク１２は、帯板状に形成されており、スピーカユニット３背面側（振動板２２の下方）は密閉されている。ヨーク１２は、その平面形状がフレーム１１の外縁の平面形状と略等しく形成され、フレーム１１よりも若干小さく形成されている。
【００３５】
磁石１３は、それぞれ、直線状に延在した帯板状に形成され、フレーム１１の直線部  と略同形状で略同じ大きさに形成されている。磁石１３は、互いに間隔をあけて平行に配置されて、ヨーク１２上に重ねられる。また、磁石１３は、その一方の表面側がＮ極とＳ極とのうち一方の磁極となるように着磁され、他方の表面側が他方の磁極となるように着磁されている。例えば、図２において、左側の磁石１３の表面側がＮ極、裏面側がＳ極となるように着磁されており、右側の磁石１３の表面側がＳ極、裏面側がＮ極となるように着磁されている。
【００３６】
プレート１４は、それぞれ、直線状に延在した帯板状に形成され、フレーム１１の直線部１５及び磁石１３と略同形状で略同じ大きさに形成されている。プレート１４は、互いに間隔をあけて平行に配置されて、それぞれ磁石１３上に重ねられる。
【００３７】
磁気回路部９は、ヨーク１２上に一対の磁石１３と一対のプレート１４が順に重ねられ、一対のプレート１４がフレーム１１の直線部１５に重なり、一対のプレート１４及び一対の磁石１３が互いの間に間隔保持部１７を位置付けて、組み立てられる。このように、フレーム１１には、一対の磁石１３と一対のプレート１４が取り付けられる。このとき、ヨーク１２と一対の磁石１３と一対のプレート１４の長手方向は、互いに略平行に配置されているとともに、一対の磁石１３は、互いに異極が間隔をあけて相対した状態で配置されている。
【００３８】
前述した構成により、磁気回路部９は、一対のプレート１４間に、磁気ギャップＧを形成している。
【００３９】
振動部１０は、図２及び図５に示すように、振動板２２と、ボイスコイル２０と、一対のリード線２１（図６に示す）とを備えている。
【００４０】
振動板２２は、樹脂で構成され、かつ薄板状に形成されている。振動板２２は、平面視縦長即ち長尺の平板状に形成された振動板本体２３と、この振動板本体２３の中央部に設けられたボイスコイル収容部２４とを一体に備えている。振動板本体２３は、その平面形状が、フレーム１１の枠部１８の内面で囲まれる部分の形状と略等しくなるように形成されている。振動板本体２３は、その中央部を境界として、断面形状が略円弧状に形成されている。また振動板本体２３は、その端部に溝部３２が形成されている。この溝部３２によって、振動板本体２３に分割振動や分割共振等が発生することが抑止される。振動板本体２３は、フレーム１１の前述した一方の表面に重ねられ、かつその外縁がフレーム１１の前述した一方の表面に接着剤などによって、固定されている。このように、振動板本体２３の外縁がフレーム１１に接着剤によって固定されているので、振動板２２は、当該振動板２２の前面側の空間と背面側の空間とを分離している。
【００４１】
ボイスコイル収容部２４は、振動板本体２３の中央部に設けられ、当該振動板本体２３の長手方向に沿って直線状に延在している。ボイスコイル収容部２４は、その断面形状が、振動板本体２３の中央部から一対のプレート１４又は音の放射方向に向かって延びる外周部と底面部を有しており、溝状に形成されている。
【００４２】
ボイスコイル２０は、全体として長尺の平板状に形成され、かつ、図１及び図２に示すように、一対の互いに略平行な直線部２５と、これら直線部２５の両端を連結した円弧状の連結部２６と、を備えて、矩形状に形成されている。ボイスコイル２０の長手方向の長さは、ボイスコイル収容部２４の長さと略等しく形成されている。ボイスコイル２０は、その平面形状に沿って巻き回されて構成されており、後述するリード線２１を介して供給される音声電流がその平面形状に沿って流される。
【００４３】
ボイスコイル２０は、ボイスコイル収容部２４内に収容されて、接着剤などによって、ボイスコイル収容部２４即ち振動板２２に固定される。このとき、一対の直線部２５は、フレーム１１、磁石１３と及びプレート１４と略平行に配置されているとともに、一方の直線部２５が前述した磁気ギャップＧ内に配置される。さらに、ボイスコイル２０は、直線部２５の断面における長手方向が振動部１０の振動板２２の振動方向と平行に配置されている。
【００４４】
リード線２１は、ボイスコイル２０の両端に電気的に接続されて、当該ボイスコイル２０に音声電流を供給する。リード線２１は、図６に示すように、振動板２２の長手方向の中央部から当該振動板２２の幅方向（当該振動板２２の振動方向Ｓに対し直交する方向）に、当該振動板２２から延びている。また、ボイスコイル２０からリード線２１を引き出す方向は、振動板２２の長手方向、振動板２２の幅方向、振動板２２の振動方向、又は振動板２２の振動方向に対し略直交する方向のいずれでも構わない。特に、リード線２１に過大なテンション等が作用することを抑止する点で、振動板２２の幅方向、振動板２２の振動方向、又は振動板２２の振動方向に対し略直交する方向が好ましい。また、ボイスコイル２０からリード線２１を引き出す位置は、特に限定されないが、リード線２１を振動板２２の長手方向の中央部から引き出す位置に近い方が、リード線２１が振動板２２やプレート１４等に接触すること、接触することにより異音が発生すること等を抑止できる点で、好ましい。さらに、図示しないが、プレート１４、磁石１３、フレーム１１に外部と連通する引き出し通路を形成し、その引き出し通路にリード線２１を通しても構わなく、振動板２２とリード線２１との接触が発生すること、接触により音響特性が低下すること等を抑止することができる。
【００４５】
前述したスピーカユニット３は、リード線２１を介して音声電流がボイスコイル２０に供給されると、このボイスコイル２０と磁気回路部９とが協働して、振動板２２の振動板本体２３を当該振動板本体２３の長手方向と一対のプレート１４同士が相対する方向との双方に対して直交する方向Ｓに沿って振動させ、振動板２２の振動板本体２３即ち振動部１０が音声電流に応じた音を発生する。即ち、磁気回路部９は、振動部１０を振動させて音を発生する。このように、スピーカユニット３は、ボイスコイル２０の長手方向が振動板２２の振動方向と直交した状態に配置されている。なお、振動板本体２３の長手方向と一対のプレート１４同士が相対する方向との双方に対して直交する方向Ｓは、振動板２２の振動方向をなしている。
【００４６】
筐体４は、平面形状がフレーム１１の平面形状と略等しい天井板部２７と、当該天井板部２７の外縁から立設した複数の側板部２８とを備えて、全体として長尺の平板状に形成されている。筐体４は、天井板部２７がフレーム１１に取り付けられた振動板２２と間隔をあけて相対し、側板部２８がフレーム１１の外側面上に重なる格好で、フレーム１１即ちスピーカユニット３に取り付けられて、スピーカユニット３の振動部１０即ち振動板２２を覆っている。
【００４７】
筐体４は、スピーカユニット３に取り付けられて、当該スピーカユニット３とともにイヤホン本体２内に収容される。このとき、勿論、イヤホン本体２とスピーカユニット３と筐体４の長手方向は、互いに略平行になる。外耳道Ｏに挿入された際に、筐体４の前記外耳道Ｏの最も奥に位置付けられる先端面４ａに、図４に示すように、開口部２９が設けられている。開口部２９は、勿論、筐体４の側板部２８を貫通して、前述した先端面４ａを開口している。開口部２９は、前述したボイスコイル２０や磁気回路部９の長手方向に沿って直線状に延在している。開口部２９は、スピーカユニット３の振動部１０の振動板２２が振動することで発生する音を、内側を通して、その長手方向Ｈに沿って外耳道Ｏの奥に放射する。
【００４８】
即ち、開口部２９は、前述したスピーカユニット３の振動部１０の振動板２２が振動することで発生する音を放射するために用いられる（即ち音放射用の開口部である）。また、前述した開口部２９の長手方向は、振動部１０の振動板２２の振動した際に生じる音の放射方向Ｈ（図１中に矢印で示す）をなしている。このように、ボイスコイル２０は、その長手方向が前述した放射方向Ｈと略平行に配置されている。
【００４９】
前述した構成のイヤホン１は、振動板２２を覆う格好でスピーカユニット３に筐体４が取り付けられて、これらの筐体４及びスピーカユニット３がイヤホン本体２内に収容されて、組み立てられる。そして、イヤホン１は、外耳道Ｏに挿入されて、音声電流がリード線２１を介してボイスコイル２０に供給されて、当該音声電流に応じた音を発生して、当該音を人などに伝達する。
【００５０】
本実施例によれば、振動板２２にボイスコイル２０を固定することで、スピーカユニット３をボイスコイル２０が直接振動板２２を振動させる所謂ダイナミック型のものとしているので、例えば、能率の向上と低音再生帯域の拡大とが相反する特性を有するリッフェル型スピーカユニットに見られるような、ボイスコイル２０の振動が振動板２２に伝わるまでに減衰してしまうことを抑止して、大きな振幅で振動板２２を振動させることができ、大きな音圧を得ることができる。
【００５１】
また、スピーカユニット３をボイスコイル２０が直接振動板２２を振動させるので、最低共振周波数を小さくでき、低音域から中音域、中音域から高温域にかけて、大きい再生帯域を得ることができる。
【００５２】
さらに、スピーカユニット３の振動板２２が、当該振動板２２の前面側の空間と背面側の空間とを分離しているため、振動板２２の背面側に発生する音波が、振動板２２の前面側に発生する音波と混在することを抑止して、音圧の低下を抑止すること、良好な音響特性を得ることが可能となる。また、出力音圧周波数特性を、低音域から中音域、中音域から高音域にかけてフラットにすることができる（ピーク・ディップの発生を抑止できる）。したがって、音量・音質の向上を図ることができる。
【００５３】
さらに、このボイスコイル２０を長尺の平板状に形成しその長手方向を振動板２２の振動方向Ｓに対して直交しかつ放射方向Ｈと平行に配置することで、スピーカユニット３を外耳道Ｏに挿入可能な大きさまで小型化を図ることができる。このため、外耳道Ｏにイヤホン１を挿入することができるので、イヤホン１が外耳道Ｏから容易に脱落することなく、効率的に再生音を提供することができる。
【００５４】
したがって、イヤホン１は、音量及び音質の向上を図りながらも、耳から容易に脱落することを抑止することができる。
【００５５】
また、外耳道Ｏにイヤホン１を挿入することができるので、イヤホン１、特に球状部６と外耳道Ｏとによって密閉性を向上させることができる。
【００５６】
前述の実施形態では、イヤホン本体２が収容部５と球状部６とを備えているが、これに限定されることはなく、例えば球状部６は楕円球等の形状を有していても構わなく、外耳道Ｏにイヤホン本体２を挿入すること、又は、外耳道Ｏとの密閉性を維持することができれば、公知の形状にしても構わない。
【００５７】
また、イヤホン１は、振動部１０の薄板状で長尺の平板状に形成された振動板本体２３の中央部にボイスコイル収容部２４を設けているので、ボイスコイル２０と振動板２２とを固定でき、音量・音質の向上を図ることができる。
【００５８】
さらに、筐体４の先端面４ａに音放射用の開口部２９を設けているので、スピーカユニット３が発生した音を外耳道Ｏ内に容易に導くことができる。
【００５９】
また、筐体４とスピーカユニット３とを収容するイヤホン本体２を備えているので、スピーカユニット３などが破損したり、異物が付着して汚れることを抑止できる。
【００６０】
さらに、イヤホン本体２が筒状に形成されているので、スピーカユニット３の発生した音が外耳道Ｏ内に導かれることを妨げることなく、スピーカユニット３などを収容できる。
【００６１】
磁気回路部９の互いに異極同士が相対して配置される磁石１３の間隔を保持する間隔保持部１７を備えているので、ボイスコイル２０及び振動部１０即ちイヤホン１の長手方向に沿って、磁石１３間の間隔が一定に保たれる。したがって、これらの磁石１３によって形成される磁気ギャップＧがボイスコイル２０及び振動部１０即ちイヤホン１の長手方向に不均一になること（ばらつくこと）を抑止できる。
【００６２】
間隔保持部１７が、非磁性材料で構成されているので、間隔保持部１７が励磁されて、磁石１３によって形成される磁気ギャップＧがボイスコイル２０及び振動部１０即ちイヤホン１の長手方向に不均一になること（ばらつくこと）を抑止できる。
【００６３】
磁気回路部９が、磁石１３に重ねられる少なくとも一対のプレート１４と、フレーム１１とを備えているので、磁石１３、プレート１４がフレーム１１に取り付けられるので、磁石１３によって形成される磁気ギャップＧがボイスコイル２０及び振動部１０即ちイヤホン１の長手方向に不均一になること（ばらつくこと）を抑止できる。
【００６４】
フレーム１１に間隔保持部１７を設けているので、部品点数の増加を抑止でき、コストの高騰を抑制できる。
【００６５】
ボイスコイル２０に接続したリード線２１が、振動板２２の長手方向の中央部から当該振動板２２の幅方向に沿って、外側に導かれているので、振動板２２の振動によって、リード線２１にテンション（リード線を引っ張る力）が加わることを抑止でき、リード線２１が破損することを抑止できる。
【００６６】
前述した実施例では、プレート１４を一対設けたが、本発明では、図７に示すように、プレート１４を複数対設けても良い。なお、図７に示された例では、ヨーク１２を設けることなく、プレート１４を二対（プレート１４を合計４つ設けた）設けて、各プレート１４を磁石１３に重ねている。さらに、図７では、各対のプレート１４間に磁気ギャップＧを形成している（即ち、磁気ギャップＧを二つ形成している）。
【００６７】
この図７に示した例では、さらに、一対のプレート１４間及びこれら一対のプレート１４と振動板２２との間に、磁性流体３０を充填している。この磁性流体３０は、粘性を有する半固体状の樹脂内に磁性粉が混入されて構成されている。磁性流体３０は、ボイスコイル２０に音声電流が供給された際に、プレート１４と、振動板２２又はボイスコイル２０との接触、接触により異音が発生すること、低音域での振動板２２の不要な振動の発生を抑止することができる。また、磁性流体３０を用いることによって、ボイスコイル２０付近の磁束密度を大きくすることができる。
【００６８】
この図７に示された場合では、磁気回路部９が、複数対のプレート１４間のうち一対のプレート１４間に磁性流体３０を充填しているので、振動板２２の振動が磁性流体３０によって徐々に減衰されるので、振動板２２の振動が当該振動板２２の長手方向に不均一になることを抑止でき、即ち、振動板２２がローリングすることなどを抑止でき、異音が発生することを抑止できる。
【００６９】
なお、図７に示された例では、プレート１４を二対設け、一対のプレート１４間にゲル状の磁性流体３０を充填している。しかしながら、本発明では、プレート１４を三対以上（すなわち複数）設け、これら複数のプレート１４間のうち少なくとも一対のプレート１４間にゲル状の磁性流体３０を充填すれば良い。
【００７０】
また、図７に示される例において、一対のプレート１４間に磁性流体３０が充填されているので、スピーカユニット３背面側（振動板２２の下方）は密閉されているので、低音域での音響特性の向上、特に低音再生帯域の拡大が可能となる。
【００７１】
また、本発明の発明者らは、振動板２２の振動モードをシミュレーションにおいて、算出することで、本発明の効果を確認した。このシミュレーションの結果を図８に示した。このシミュレーションでは、振動板２２の振動モードを算出した。
【００７２】
図８によれば、振動板２２の長手方向の両端部が図８中上向き（振動板２２が筐体４の天井板部２７に近づく方向）に振動し、振動板２２の長手方向の中央部が図８中下向き（振動板２２が筐体４の天井板部２７から離れる方向）に振動すること（逆共振の発生）が明らかとなった。
【００７３】
このため、図９に示すように、リード線２１を図９に示す比較例のように、振動板２２の長手方向に沿って引き出すと、当該リード線２１に過大なテンションが作用して、当該リード線２１が破損する恐れが高いことが明らかとなり、前述した実施形態のように、振動板２２の幅方向（振動板２２の振動方向に対し略直交する方向）に向かって延ばすことでリード線２１に過大なテンションが作用せずに、当該リード線２１が破損することを抑止できることが明らかとなった。
【００７４】
前述した実施例によれば、以下の耳挿入型のイヤホン１が得られる。
【００７５】
（付記）  筐体４と、当該筐体４に取り付けられる振動部１０と磁気回路部９とを有したスピーカユニット３と、を備え、前記振動部１０が、振動板２２と、ボイスコイル２０とを備え、
前記ボイスコイル２０が、長尺の平板状に形成されて、その長手方向が前記振動板２２の振動した際に生じる音の放射方向Ｈと略平行に配置されることを特徴とする耳挿入型のイヤホン１。
【００７６】
付記によれば、振動板２２にボイスコイル２０を直接固定することで、スピーカユニット３を所謂ダイナミック型のものとして音量・音質の向上を図り、さらに、このボイスコイル２０を長尺の平板状に形成しその長手方向を振動板２２の振動した際に生じる音の放射方向Ｈと略平行に配置することで、スピーカユニット３を外耳道Ｏに挿入可能な大きさまで小型化を図ることができる。
【００７７】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００７８】
【図１】本発明の一実施例にかかる耳挿入型のイヤホンの断面図である。
【図２】図１に示された耳挿入型のイヤホンのスピーカユニットの分解斜視図である。
【図３】図２に示されたスピーカユニットを下方からみた分解斜視図である。
【図４】図２に示されたスピーカユニットなどの斜視図である。
【図５】図４中のＶ−Ｖ線に沿う断面図である。
【図６】図２に示されたスピーカユニットの振動板などの平面図である。
【図７】図５に示されたスピーカユニットの変形例の断面図である。
【図８】図１に示されたスピーカユニットの振動板の振動モードのシミュレーション結果を示す説明図である。
【図９】スピーカユニットの振動板などの比較例の平面図である。
【符号の説明】
【００７９】
１  耳挿入型のイヤホン
２  イヤホン本体
３  スピーカユニット
４  筐体
４ａ  先端面
９  磁気回路部
１０  振動部
１１  フレーム
１３  磁石
１４  プレート
１７  間隔保持部
２０  ボイスコイル
２１  リード線
２２  振動板
２３  振動板本体
２４  ボイスコイル収容部
２９  開口部
３０  磁性流体
Ｈ  放射方向
Ｏ  外耳道
【図１】
2009049757.tif 000003
【図２】
2009049757.tif 000004
【図３】
2009049757.tif 000005
【図４】
2009049757.tif 000006
【図５】
2009049757.tif 000007
【図６】
2009049757.tif 000008
【図７】
2009049757.tif 000009
【図８】
2009049757.tif 000010
【図９】
2009049757.tif 000011